【事件の表示】
　平成１１年特許願第１５３１８０号「スロットマシン」拒絶査定不服審判事件〔平成１２年１２月１２日出願公開、特開２０００−３４２７５３〕について、次のとおり審決する。
【結　論】
　本件審判の請求は、成り立たない。
【理　由】
１．手続の経緯
　本願は、平成１１年６月１日の特許出願であって、平成１５年５月１９日付けで拒絶査定がなされ、これに対し、同年６月２３日に拒絶査定に対する審判請求がなされるとともに、同年７月９日付けで手続補正がなされたものである。
　　　　　　　　　　　　　　　　　　　　　　　　　　　　　　　　　
２．平成１５年７月９日付けの手続補正（以下、「本件補正」という。）について
　　　　　　　　　　　　　　　　　　　　　　　　　　　　　　　　　
［補正却下の決定の結論］
　平成１５年７月９日付けの手続補正を却下する。
　　　　　　　　　　　　　　　　　　　　　　　　　　　　　　　　　
［理由］
　本件補正により、特許請求の範囲の請求項１は、
「三つの回転リールを有するリールユニットと、
　前記リールユニットの駆動を開始させるためのスタートスイッチと、
　前記リールユニットの駆動を停止させるためのストップスイッチと、
　特定の状態を表示する表示装置と、
　入賞判定の抽選を行う抽選手段を有すると共に、前記リールユニット、前記スタートスイッチ、前記ストップスイッチ、前記表示装置を制御するための遊技制御装置とを備えたスロットマシンにおいて、
　前記表示装置は、前記回転リール以外に、抽選結果が未確定な状態を示す再遊技の見かけの抽選の表示と、かかる見かけの抽選の表示の後、前記抽選手段による再遊技の抽選結果の表示とを行うための再遊技表示装置を備え、
　前記遊技制御装置は、前記抽選手段により再遊技当選となった場合に、全回転リールの停止後、再遊技表示装置により再遊技の見かけの抽選の表示と、かかる見かけの抽選の表示の後、前記抽選手段による再遊技の当選の表示とを行い、
　前記抽選手段により再遊技外れとなった場合に、全回転リールの停止後、再遊技表示装置により再遊技の見かけの抽選の表示と、かかる見かけの抽選の表示の後、前記抽選手段による再遊技の外れの表示とを行うための再遊技表示装置制御手段を備え、
　前記再遊技表示装置による再遊技の表示を再遊技表示とし、再遊技が入賞したとして扱うことを特徴とするスロットマシン。」
と補正された。
　　　　　　　　　　　　　　　　　　　　　　　　　　　　　　　　　
　上記補正は、請求項１に記載した発明を特定するために必要な事項である「再遊技表示装置により再遊技の見かけの抽選の表示と、かかる見かけの抽選の表示の後、前記抽選手段による再遊技の抽選結果の表示とを行うための再遊技表示装置制御手段」を「
全回転リールの停止後、
当選
い、前記抽選手段により再遊技外れとなった場合に、全回転リールの停止後、再遊技表示装置により再遊技の見かけの抽選の表示と、かかる見かけの抽選の表示の後、前記抽選手段による再遊技の外れの表示とを行
　そこで、本件補正後の前記請求項１に記載された発明（以下、「本願補正発明」という。）が特許出願の際独立して特許を受けることができるものであるか（平成１５年改正前の特許法第１７条の２第５項において準用する同法第１２６条第４項の規定に適合するか）について以下に検討する。　　
　　　　　　　　　　　　　　　　　　　　　　　　　　　　　　　　　
（１）本願補正発明
　本願補正発明は、次のように分説して記載することができる。
(A) 三つの回転リールを有するリールユニットと、
(B) 前記リールユニットの駆動を開始させるためのスタートスイッチと、
(C) 前記リールユニットの駆動を停止させるためのストップスイッチと、
(D) 特定の状態を表示する表示装置と、
(E) 入賞判定の抽選を行う抽選手段を有すると共に、前記リールユニット　　、前記スタートスイッチ、前記ストップスイッチ、前記表示装置を制御　　するための遊技制御装置とを備えたスロットマシンにおいて、
(F) 前記表示装置は、前記回転リール以外に、抽選結果が未確定な状態を　　示す再遊技の見かけの抽選の表示と、かかる見かけの抽選の表示の後、　　前記抽選手段による再遊技の抽選結果の表示とを行うための再遊技表示　　装置を備え、
(G) 前記遊技制御装置は、前記抽選手段により再遊技当選となった場合に　　、全回転リールの停止後、再遊技表示装置により再遊技の見かけの抽選　　の表示と、かかる見かけの抽選の表示の後、前記抽選手段による再遊技　　の当選の表示とを行い、
(H) 前記抽選手段により再遊技外れとなった場合に、全回転リールの停止　　後、再遊技表示装置により再遊技の見かけの抽選の表示と、かかる見か　　けの抽選の表示の後、前記抽選手段による再遊技の外れの表示とを行う　　ための再遊技表示装置制御手段を備え、
(I) 前記再遊技表示装置による再遊技の表示を再遊技表示とし、再遊技が　　入賞したとして扱う
(J) ことを特徴とするスロットマシン。
　　　　　　　　　　　　　　　　　　　　　　　　　　　　　　　　　
（２）先願発明                            　　　　　　　　　       
　先願：特願平１０−２６４１６０号（特開２０００−９３５７７号公報）
　　　　　　　　　　　　　　　　　　　　　　　　　　　　　　　　　
　原査定の拒絶の理由に引用された、本願出願の日前の特許出願であって、本願の出願後に出願公開がされた下記の特許出願（以下、「先願」という。）の願書に最初に添付した明細書または図面（以下、「先願明細書」という。）には次の記載がある。
a．「・・・スロットマシンは、ボックス形状の本体部２の前面開口に扉部３を開閉可能に取り付けて機体１が構成される。本体部２の中空内部には、・・・上段位置にリールブロック４や制御装置が実装された回路基板５が・・・組み込まれる。
　前記リールブロック４は、金属フレーム７に、第１のシンボル可変表示器を構成する第１〜第３の各リール８ａ，８ｂ，８ｃと、第２のシンボル可変表示器を構成する第４のリール８ｄとが一体に組み付けられて成る。・・・第４のリール８ｄの帯状テープには、再遊技を成立させるシンボル（以下、「再遊技シンボル」という。）が少なくとも１個、印刷されている。
　このリールブロック４には、各リール８ａ，８ｂ，８ｃ，８ｄを個別に回転駆動するステッピングモータ９ａ，９ｂ，９ｃ，９ｄが組み付けてある。
　なお、第１、第２の各シンボル可変表示器は、リール８ａ，８ｂ，８ｃ，８ｄに限らず、液晶表示板のような画像表示手段を用いて構成することもできる。」（段落【００１９】【００２０】）
b．「正面パネル１１の下方には、始動レバー１４，３個の停止釦スイッチ１５ａ，１５ｂ，１５ｃ・・・が・・・配備される。・・・始動レバー１４は４個のリール８ａ，８ｂ，８ｃ，８ｄを一斉に始動させるために遊技者により操作される。３個の停止釦スイッチ１５ａ，１５ｂ，１５ｃは、第１〜第３の各リール８ａ，８ｂ，８ｃを個別に停止させるために遊技者により操作される。・・・」（段落【００２２】）
c．「・・・第４のリール８ｄは、回転を停止したとき、水平な３本の入賞ラインＬ１〜Ｌ３の延長線上の位置ｃ，ｕ，ｄに、前記再遊技シンボルまたは再遊技シンボルが表されていない無地の部分が停止する。」（段落【００２４】）
d．「このスロットマシンでは・・・始動レバー１４を操作すると、機械内部で抽選処理が行われる。その後、停止釦スイッチ１５ａ，１５ｂ，１５ｃが押操作されたとき、抽選当たりであれば、前記抽選処理による抽選結果に基づく所定のシンボルが、有効化された入賞ライン上に停止するよう、各リール８ａ，８ｂ，８ｃの停止動作が制御される。・・・
　前記抽選処理は、乱数発生器が発生する乱数をサンプリングして、そのサンプリングされた乱数値が所定の範囲内の値であるかどうかを判断することにより、特別入賞シンボルやそれ以外の入賞シンボルについての抽選当たりであるかどうかを決定する。」（段落【００２９】【００３０】）
e．「第４のリール８ｄの再遊技シンボルＳをシンボル表示窓２０ｄ内に停止させるかどうか、もし、停止させるとすれば、どの位置に停止させるかは、ゲーム開始時に実行される乱数による内部抽選処理により決定される。・・・
　なお、上記実施例の第４のリール８ｄについては、再遊技シンボルＳが印刷された位置以外は無地になっており、この無地部分をもって再遊技の不成立を表すシンボルを構成している・・・」（段落【００３３】【００３４】）
f．「・・・再回転の対象とするリールは・・・３個のリールを再回転させるようにしてもよい。例えば、第４のリール８ｄに・・・図１１の具体例で示すように、・・・特別の再遊技シンボルＳＳ（図示例では、三重丸のシンボル）を設けておき、・・・所定の位置に前記した特別の再遊技シンボルＳＳが停止したとき、３個全てのリール８ａ，８ｂ，８ｃを再回転するように構成することもできる。」（段落【００３８】）
g．「・・・遊技者が・・・始動レバー１４を操作すると、・・・ＣＰＵ４１は、乱数発生器４４が発生した乱数値をサンプリングすることにより内部抽選処理を実行し、４個のリール８ａ，８ｂ，８ｃ，８ｄを一斉に回転させる・・・
　この停止操作が３個のリール８ａ，８ｂ，８ｃについて実行されると、・・・ＣＰＵ４１は、第４のリール８ｄの回転を停止させた後、有効化された入賞ライン上に、特別入賞シンボルや通常の入賞シンボルの組み合わせが成立したかどうかの判定を行う・・・」（段落【００４７】【００４９】）
h．「図１５は、上記したスロットマシンの電気的な構成を示す。
　同図中、４０はマイクロコンピュータより成る制御装置であり、制御、演算の主体であるＣＰＵ４１、プログラムや固定データが格納されるＲＯＭ４２、データの読み書きに用いられるＲＡＭ４３の他に、乱数発生器４４を含む。
　前記ＣＰＵ４１には、バス４９を介して、各リール８ａ，８ｂ，８ｃ，８ｄのリール駆動部４７ａ，４７ｂ，４７ｃ，４７ｄ、・・・などの出力各部や、・・・始動レバー１４、・・・３個の停止釦スイッチ１５ａ，１５ｂ，１５ｃ、・・・などの入力各部が接続される。
　前記ＣＰＵ４１は、ＲＯＭ４２に格納されたプログラムに従ってＲＡＭ４３に対するデータの読み書きを行いつつ、前記入出力各部の動作を一連に制御する他、前記乱数発生器４４が発生した乱数値をサンプリングして各種の内部抽選処理を実行する。」（段落【００４４】【００４５】）
i．「・・・上記実施例では、第１〜第３のリール８ａ，８ｂ，８ｃが回転を停止した後に第４のリール８ｄを停止させている・・・」（段落【００５２】）　
　　　　　　　　　　　　　　　　　　　　　　　　　　　　　　　　　
  上記の記載より、先願明細書には以下の発明（以下、「先願発明」という。）が記載されていると認められる。
「ボックス形状の本体部２の前面開口に扉部３を開閉可能に取り付けて機体１が構成され、本体部２の中空内部には、上段位置にリールブロック４や制御装置が実装された回路基板５が組み込まれており、前記リールブロック４は、金属フレーム７に第１のシンボル可変表示器を構成する第１〜第３の各リール８ａ，８ｂ，８ｃと、第２のシンボル可変表示器を構成する第４のリール８ｄとが一体に組み付けられて成り、第４のリール８ｄの帯状テープには、再遊技を成立させるシンボル（以下、「再遊技シンボル」という。）が少なくとも１個印刷されており、このリールブロック４には、各リール８ａ，８ｂ，８ｃ，８ｄを個別に回転駆動するステッピングモータ９ａ，９ｂ，９ｃ，９ｄが組み付けてあり、第１、第２の各シンボル可変表示器は、リール８ａ，８ｂ，８ｃ，８ｄに限らず、液晶表示板のような画像表示手段を用いて構成することもでき、正面パネル１１の下方には、４個のリール８ａ，８ｂ，８ｃ，８ｄを一斉に始動させるための始動レバー１４、第１〜第３の各リール８ａ，８ｂ，８ｃを個別に停止させるための３個の停止釦スイッチ１５ａ，１５ｂ，１５ｃが配備され、第４のリール８ｄは、回転を停止したとき、水平な３本の入賞ラインＬ１〜Ｌ３の延長線上の位置ｃ，ｕ，ｄに前記再遊技シンボルまたは再遊技シンボルが表されていない無地の部分が停止するように構成されており、始動レバー１４を操作すると、機械内部で抽選処理が行われ、乱数発生器が発生する乱数をサンプリングして、そのサンプリングされた乱数値が所定の範囲内の値であるかどうかを判断することにより、特別入賞シンボルやそれ以外の入賞シンボルについての抽選当たりであるかどうかを決定し、第４のリール８ｄの再遊技シンボルＳをシンボル表示窓２０ｄ内に停止させるかどうか、もし、停止させるとすれば、どの位置に停止させるかは、ゲーム開始時に実行される乱数による内部抽選処理により決定するもので、第４のリール８ｄについては、再遊技シンボルＳが印刷された位置以外は無地になっており、この無地部分をもって再遊技の不成立を表すシンボルを構成しており、第４のリール８ｄに特別の再遊技シンボルＳＳ（第１１図の図示例では、三重丸のシンボル）を設けておき、所定の位置に前記した特別の再遊技シンボルＳＳが停止したとき、３個全てのリール８ａ，８ｂ，８ｃを再回転するように構成することもでき、マイクロコンピュータより成る制御装置４０は、制御、演算の主体であるＣＰＵ４１、プログラムや固定データが格納されるＲＯＭ４２、データの読み書きに用いられるＲＡＭ４３の他に、乱数発生器４４を含み、前記ＣＰＵ４１には、バス４９を介して、各リール８ａ，８ｂ，８ｃ，８ｄのリール駆動部４７ａ，４７ｂ，４７ｃ，４７ｄなどの出力各部や、始動レバー１４、３個の停止釦スイッチ１５ａ，１５ｂ，１５ｃなどの入力各部が接続され、前記ＣＰＵ４１は、ＲＯＭ４２に格納されたプログラムに従ってＲＡＭ４３に対するデータの読み書きを行いつつ、前記入出力各部の動作を一連に制御する他、前記乱数発生器４４が発生した乱数値をサンプリングして各種の内部抽選処理を実行するスロットマシンであって、遊技者が始動レバー１４を操作すると、ＣＰＵ４１は、乱数発生器４４が発生した乱数値をサンプリングすることにより内部抽選処理を実行し、４個のリール８ａ，８ｂ，８ｃ，８ｄを一斉に回転させ、この停止操作が３個のリール８ａ，８ｂ，８ｃについて実行され、第１〜第３のリール８ａ，８ｂ，８ｃが回転を停止した後に第４のリール８ｄを停止させる、スロットマシン。」
　　　　　　　　　　　　　　　　　　　　　　　　　　　　　　　　　
（３）対比・判断
　本願補正発明と先願発明とを対比すると、両者はともにスロットマシンであって、先願発明における「リール８ａ，８ｂ，８ｃ」は本願補正発明における「回転リール」に対応しており、以下同様に、「始動レバー１４」は「スタートスイッチ」に、「停止釦スイッチ１５ａ，１５ｂ，１５ｃ」は「ストップスイッチ」に、「内部抽選処理」は「入賞判定の抽選」に、それぞれ対応しており、さらに先願発明について次のことがいえる。
　　　　　　　　　　　　　　　　　　　　　　　　　　　　　　　　　
(i) 先願発明は「第１〜第３の各リール８ａ，８ｂ，８ｃ」により「第１のシンボル可変表示器を構成する」（摘示a．）ものであり、「第１〜第３」の三つの「リール８ａ，８ｂ，８ｃ」を有する「第１のシンボル可変表示器」は、その機能に照らすと、本願補正発明における「三つの回転リールを有するリールユニット」に対応している。
　そうすると、同先願発明は、本願補正発明を特定する「三つの回転リールを有するリールユニットと、（を備えたスロットマシン）」（上記分説(A)に係る発明特定事項）に対応する構成を備えている。
　　　　　　　　　　　　　　　　　　　　　　　　　　　　　　　　　
(ii) 先願発明は、「４個のリール８ａ，８ｂ，８ｃ，８ｄを一斉に始動させるための始動レバー１４」（摘示b．）を備えており、上記「４個のリール８ａ，８ｂ，８ｃ，８ｄ」のうち、「リール８ａ，８ｂ，８ｃ」は、上記(i)に記載したように「第１のシンボル可変表示器」を「構成する」ものであり、「第１のシンボル可変表示器」は本願補正発明における「リールユニット」に対応するものであるところ、これらの「リール８ａ，８ｂ，８ｃ」は「始動レバー１４」（本願補正発明における「スタートスイッチ」に対応している。）により始動され、駆動が開始されるものである。
　そうすると、同先願発明は、本願補正発明を特定する「前記リールユニットの駆動を開始させるためのスタートスイッチと、（を備えたスロットマシン）」（上記分説(B)に係る発明特定事項）に対応する構成を備えている。
　　　　　　　　　　　　　　　　　　　　　　　　　　　　　　　　　
(iii) 先願発明は、「第１〜第３の各リール８ａ，８ｂ，８ｃを個別に停止させるための３個の停止釦スイッチ１５ａ，１５ｂ，１５ｃ」（摘示b．）を備えており、上記「第１〜第３の各リール８ａ，８ｂ，８ｃ」は、上記(i)に記載したように「第１のシンボル可変表示器」を「構成する」ものであり、「第１のシンボル可変表示器」は本願補正発明における「リールユニット」に対応するものであるところ、これらの「リール８ａ，８ｂ，８ｃ」は「停止釦スイッチ１５ａ，１５ｂ，１５ｃ」（本願補正発明における「ストップスイッチ」に対応する。）により駆動が停止されるものである。
　そうすると、同先願発明は、本願補正発明を特定する「前記リールユニットの駆動を停止させるためのストップスイッチと、（を備えたスロットマシン）」（上記分説(C)に係る発明特定事項）に対応する構成を備えている。
　　　　　　　　　　　　　　　　　　　　　　　　　　　　　　　　　
(iv) 下記の(vi)に詳述するように、先願発明における「第２のシンボル可変表示器」は、本願補正発明における「表示装置」に対応しているとともに、「再遊技」の「成立」または「不成立」の抽選に関する表示を行うことから、特定の状態を表示するものといえる。     
　そうすると、同先願発明は、本願補正発明を特定する「特定の状態を表示する表示装置と、（を備えたスロットマシン）」（上記分説(D)に係る発明特定事項）に対応する構成を備えている。
　　　　　　　　　　　　　　　　　　　　　　　　　　　　　　　　　
(v) 先願発明は、「マイクロコンピュータより成る制御装置４０」を備えたスロットマシンであって、「各リール８ａ，８ｂ，８ｃ，８ｄのリール駆動部４７ａ，４７ｂ，４７ｃ，４７ｄなどの出力各部や、始動レバー１４、３個の停止釦スイッチ１５ａ，１５ｂ，１５ｃなどの入力各部が接続され」ていて「前記入出力各部の動作を一連に制御する他、前記乱数発生器４４が発生した乱数値をサンプリングして各種の内部抽選処理を実行する」（摘示g．）ものである。
　上記「制御装置４０」は、「内部抽選処理」（本願補正発明における「入賞判定の抽選」に対応する。）を「実行する」ことから、本願補正発明における「入賞判定の抽選を行う抽選手段」に対応する構成を備えていると共に、「リール８ａ，８ｂ，８ｃ」により構成される「第１のシンボル可変表示器」（本願補正発明における「リールユニット」に対応する。）、「始動レバー１４」（同じく「スタートスイッチ」に対応する。）、「停止釦スイッチ１５ａ，１５ｂ，１５ｃ」（同じく「ストップスイッチ」に対応する。）、「第２のシンボル可変表示器」（下記の(vi)に詳述するように、本願補正発明における「表示装置」に対応する。）が「接続され」ていて「各部の動作を一連に制御する」ものである。
　以上を総合すると、先願発明における「制御装置４０」は本願補正発明における「遊技制御装置」に対応しており、同先願発明は、本願補正発明を特定する「入賞判定の抽選を行う抽選手段を有すると共に、前記リールユニット、前記スタートスイッチ、前記ストップスイッチ、前記表示装置を制御するための遊技制御装置とを備えたスロットマシン」（上記分説(E)に係る発明特定事項）に対応する構成を備えている。
　　　　　　　　　　　　　　　　　　　　　　　　　　　　　　　　　
(vi) 先願発明は、「第２のシンボル可変表示器を構成する第４のリール８ｄ」（摘示a．）を備えており、「第４のリール８ｄの再遊技シンボルＳをシンボル表示窓２０ｄ内に停止させるかどうか、もし、停止させるとすれば、どの位置に停止させるかは、ゲーム開始時に実行される乱数による内部抽選処理により決定」（摘示e．）され、「第１〜第３のリール８ａ，８ｂ，８ｃが回転を停止した後に第４のリール８ｄを停止させ」（摘示g．i．）るものである。
　ここで、「再遊技シンボルＳ」として「特別の再遊技シンボルＳＳを設けておき、所定の位置に前記した特別の再遊技シンボルＳＳが停止したとき、３個全てのリール８ａ，８ｂ，８ｃを再回転するように構成する」（摘示f．）ことができ、「再遊技シンボルＳＳ」を設けた場合、上記「所定の位置」に「再遊技シンボルＳＳ」以外の「無地部分」が停止したときに「再遊技の不成立」（摘示e．）を表すものである（以下、先願発明における「再遊技シンボル」を「再遊技シンボルＳＳ」と統一的に記載する。）。
　そこで、先願発明における「第１〜第３のリール８ａ，８ｂ，８ｃ」と「第２のシンボル可変表示器を構成する第４のリール８ｄ」との「回転」及び「停止」の関係をみると、「第１〜第３のリール８ａ，８ｂ，８ｃが回転を停止」した後も「第２のシンボル可変表示器を構成する第４のリール８ｄ」は回転を続行するものであり、両者が停止するタイミングには明らかに時間差がある。そして、「第１〜第３のリール８ａ，８ｂ，８ｃが回転を停止」してから「第２のシンボル可変表示器を構成する第４のリール８ｄ」が停止するまでの間は、「ゲーム開始時に実行される乱数による内部抽選処理により決定」している「再遊技」の「成立」または「不成立」のいずれかの抽選結果は示されず、見かけ上、抽選結果が未確定な状態とされるものであり、先願発明は、本願補正発明における「抽選結果が未確定な状態を示す再遊技の見かけの抽選の表示」に対応する表示を行うものといえる。
　先願発明は、当該表示を行った後、「第２のシンボル可変表示器を構成する第４のリール８ｄ」を停止して「再遊技シンボルＳＳ」または「無地部分」のいずれかを「所定の位置」に停止することで「再遊技」の「成立」または「不成立」の抽選結果を表示するものである。       　　　　　　　　　　　　　　
　以上を総合すると、先願発明における「第２のシンボル可変表示器を構成する第４のリール８ｄ」は、本願補正発明における「表示装置」に対応しているとともに、さらにその機能に照らすと、本願補正発明における「再遊技表示装置」に対応する構成を包含していることから、本願補正発明における「再遊技表示装置」に対応する構成を備えているといえる。（以下、先願発明における「第２のシンボル可変表示器を構成する第４のリール８ｄ」を単に「第２のシンボル可変表示器」という。）そして、「第２のシンボル可変表示器」は、「第１〜第３のリール８ａ，８ｂ，８ｃ」（本願補正発明における「回転リール」に対応する。）とは別に設けられた「表示装置」であり、「第１〜第３のリール８ａ，８ｂ，８ｃ」（「回転リール」）以外の「表示装置」である。
　そうすると、同先願発明は、本願補正発明を特定する「前記表示装置は、前記回転リール以外に、抽選結果が未確定な状態を示す再遊技の見かけの抽選の表示と、かかる見かけの抽選の表示の後、前記抽選手段による再遊技の抽選結果の表示とを行うための再遊技表示装置を備え」（上記分説(F)に係る発明特定事項）に対応する構成を備えている。
　　　　　　　　　　　　　　　　　　　　　　　　　　　　　　　　　
(vii) 上記(vi)に記載したように、先願発明における「第２のシンボル可変表示器」は、本願補正発明における「再遊技表示装置」に対応する構成を備えており、「第１〜第３の各リール８ａ，８ｂ，８ｃ」の停止後もさらに回転を続行することで、「再遊技」の見かけの抽選の表示を行うものである。
　上記「第２のシンボル可変表示器」は、「内部抽選処理」により「再遊技」の「成立」が「決定」して「再遊技」が当選となった場合に、上記した「見かけの抽選の表示」の後、「再遊技シンボルＳＳ」を「所定の位置」に停止させ（摘示f．）て「再遊技」の当選を表示するもので、当該表示の制御は、(v)に記載した、先願発明が備える「制御装置４０」において行われるものであり、その機能に照らすと、上記「制御装置４０」は本願補正発明における「再遊技表示装置制御手段」に対応する構成を包含しているということができるから、先願発明は、本願補正発明を特定する「再遊技表示装置制御手段」に対応する構成を備えている。
　　　　　　　　　　　　　　　　　　　　　　　　　　　　　　　　　
　ところで、先願発明における「第２のシンボル可変表示器」は、「第１〜第３のリール８ａ，８ｂ，８ｃ」とともに「始動レバー１４」により「一斉に始動」（摘示b．）するものであり、「第１〜第３のリール８ａ，８ｂ，８ｃ」の回転停止後に「始動」を開始するものではない。審判請求人は、その審判請求書において、上記の点を本願補正発明と先願発明との相違点として主張するが、特許請求の範囲の請求項１に規定された本願補正発明は、「全回転リールの停止後、再遊技表示装置により再遊技の見かけの抽選の表示（を行い）」というものであり、「全回転リールの停止」を契機として「再遊技表示装置により再遊技の見かけの抽選の表示」を開始させることまでは規定していないので、審判請求人の上記主張は特許請求の範囲の記載に基づくものではなく、理由がない。
　また、仮に審判請求人が主張する上記の点を両者の一応の相違点として検討しても、遊技機において、所定の遊技動作あるいは遊技状態が終了したことを契機として、ルーレットなどを用いた抽選の表示を開始し、さらに前記抽選の表示に続いて抽選の結果を表示して、抽選の結果が当選となれば遊技に特典を付与することは適宜に行われており（必要あれば下記に参考として示す周知例１ないし３が例示される。）、上記した「一応の相違点」は単なる設計上の微差にすぎない。
　　　　　　　　　　　　　　　　　　　　　　　　　　　　　　　　　
　そうすると、同先願発明は、本願補正発明を特定する「前記遊技制御装置は、前記抽選手段により再遊技当選となった場合に、全回転リールの停止後、再遊技表示装置により再遊技の見かけの抽選の表示と、かかる見かけの抽選の表示の後、前記抽選手段による再遊技の当選の表示とを行い、（行うための再遊技表示装置制御手段）」（上記分説(G)に係る発明特定事項）に対応する構成を備えている。
　　　　　　　　　　　　　　　　　　　　　　　　　　　　　　　　　
【参考】
周知例１：特開平１０−１６５５９１号公報
　「可変入賞口３０」を開放する大当たり状態が終了したことを契機として、「抽選表示手段２５」のルーレット抽選部を見かけ上回転走行させた後、ルーレット様表示で特定された数字の回数分、引き続き大当たり状態を発生させる遊技機。（特許請求の範囲、段落【００３２】【００３３】【００４９】）
　　　　　　　　　　　　　　　　　　　　　　　　　　　　　　　　　
周知例２：特開平９−１５５０１８号公報
　特別遊技状態が終ったことを契機として、「特別図柄変動表示器２５」に「ルーレット」などを表示して時間延長可否の抽選を行い、抽選に当たれば「普通電動開閉入賞装置２３」が開成状態となる時間を延長する遊技機。（段落【００１１】【００１２】）
　　　　　　　　　　　　　　　　　　　　　　　　　　　　　　　　　
周知例３：登録実用新案第３０３８９０３号公報
　ビッグボーナス終了後に抽選を行い、該抽選に当選すると追加の特別遊技（チャレンジタイムゲーム）を行わせるようにしたスロットマシンにおいて、抽選状況をルーレット様の「抽選状況表示手段３１」に表示する点。（実用新案登録請求の範囲、段落【００１５】【００２４】、図２）
　　　　　　　　　　　　　　　　　　　　　　　　　　　　　　　　　
(viii) 上記(vi)に記載したように、先願発明における「第２のシンボル可変表示器」は、本願補正発明における「再遊技表示装置」に対応する構成を備えており、「第１〜第３の各リール８ａ，８ｂ，８ｃ」の停止後もさらに回転を続行することで、「再遊技」の見かけの抽選の表示を行うものである。
　上記「第２のシンボル可変表示器」は、「内部抽選処理」により「再遊技」の「不成立」が「決定」して「再遊技」が外れとなった場合に、上記した「見かけの抽選の表示」の後、「無地部分」を「所定の位置」に停止させ（摘示e．）て「再遊技」の外れを表示するもので、当該表示の制御は、上記(vii)に記載した、先願発明が実質的に備える「再遊技表示装置制御手段」において行われるものである。
　そうすると、同先願発明は、本願補正発明を特定する「前記抽選手段により再遊技外れとなった場合に、全回転リールの停止後、再遊技表示装置により再遊技の見かけの抽選の表示と、かかる見かけの抽選の表示の後、前記抽選手段による再遊技の外れの表示とを行うための再遊技表示装置制御手段を備え」（上記分説(H)に係る発明特定事項）に対応する構成を備えている。
　　　　　　　　　　　　　　　　　　　　　　　　　　　　　　　　　
(ix) 上記(vi)に記載したように、先願発明における「第２のシンボル可変表示器」は、本願補正発明における「再遊技表示装置」に対応する構成を備えており、該「第２のシンボル可変表示器」に表示された「再遊技シンボルＳＳ」と「無地部分」のうち、「再遊技シンボルＳＳ」が「所定の位置」に「停止した」とき、再遊技が入賞したとして扱い、「３個全てのリール８ａ，８ｂ，８ｃを再回転する」（摘示f．）ものであり、上記した「再遊技シンボルＳＳ」を「所定の位置」に「停止」させることによる表示は、本願補正発明における「再遊技表示」に対応するものである。
　そうすると、同先願発明は、本願補正発明を特定する「前記再遊技表示装置による再遊技の表示を再遊技表示とし、再遊技が入賞したとして扱う」（上記分説(I)に係る発明特定事項）に対応する構成を備えている。
　　　　　　　　　　　　　　　　　　　　　　　　　　　　　　　　　
(x) 先願発明は本願補正発明と同じくスロットマシンであるから、同先願発明は、本願補正発明を特定する「ことを特徴とするスロットマシン」（上記分説(J)に係る発明特定事項）に対応する構成を備えている。
　　　　　　　　　　　　　　　　　　　　　　　　　　　　　　　　　
　以上(i)ないし(x)に記載したとおり、先願発明は本願補正発明における上記(A)ないし(J)に係る発明特定事項の全てを備えているから、本願補正発明は先願発明と同一であり、しかも本願補正発明の発明者は先願発明の発明者と同一でも、本願出願の時において、その出願人が上記先願の出願人と同一でもないので、特許法第２９条の２第１項の規定により独立して特許を受けることができない。
　　　　　　　　　　　　　　　　　　　　　　　　　　　　　　　　　
（４）むすび
　したがって、本件補正は、平成１５年改正前の特許法第１７条の２第５項において準用する同法第１２６条第４項の規定に違反するので、特許法第１５９条第１項において読み替えて準用する同法第５３条第１項の規定により却下すべきものである。 
　　　　　　　　　　　　　　　　　　　　　　　　　　　　　　　　　
３．本願発明について
　平成１５年７月９日付けの手続補正は上記のとおり却下されたので、本願の請求項１に係る発明（以下、「本願発明」という。）は、平成１４年６月２０日付けの手続補正書の特許請求の範囲の請求項１に記載された事項により特定される、以下のとおりのものである。
「三つの回転リールを有するリールユニットと、
　前記リールユニットの駆動を開始させるためのスタートスイッチと、
　前記リールユニットの駆動を停止させるためのストップスイッチと、
　特定の状態を表示する表示装置と、
　入賞判定の抽選を行う抽選手段を有すると共に、前記リールユニット、前記スタートスイッチ、前記ストップスイッチ、前記表示装置を制御するための遊技制御装置とを備えたスロットマシンにおいて、
　前記表示装置は、前記回転リール以外に、抽選結果が未確定な状態を示す再遊技の見かけの抽選の表示と、かかる見かけの抽選の表示の後、前記抽選手段による再遊技の抽選結果の表示とを行うための再遊技表示装置を備え、
　前記遊技制御装置は、前記抽選手段により再遊技当選となった場合に、再遊技表示装置により再遊技の見かけの抽選の表示と、かかる見かけの抽選の表示の後、前記抽選手段による再遊技の抽選結果の表示とを行うための再遊技表示装置制御手段を備え、
　前記再遊技表示装置による再遊技の表示を再遊技表示とし、再遊技が入賞したとして扱うことを特徴とするスロットマシン。」
　　　　　　　　　　　　　　　　　　　　　　　　　　　　　　　　　
（１）先願発明
　原査定の拒絶の理由に引用された、本願出願の日前の特許出願であって、本願の出願後に出願公開がされた特許出願（先願）の願書に最初に添付した明細書または図面（先願明細書）に記載された発明（先願発明）は、前記「２．（２）」に記載したとおりである。
　　　　　　　　　　　　　　　　　　　　　　　　　　　　　　　　　
（２）対比・判断
　本願発明は、前記２．で検討した本願補正発明の発明特定事項である「全回転リールの停止後、再遊技表示装置により再遊技の見かけの抽選の表示と、かかる見かけの抽選の表示の後、前記抽選手段による再遊技の当選の表示とを行い、前記抽選手段により再遊技外れとなった場合に、全回転リールの停止後、再遊技表示装置により再遊技の見かけの抽選の表示と、かかる見かけの抽選の表示の後、前記抽選手段による再遊技の外れの表示とを行うための再遊技表示装置制御手段」を、より広義な概念である「再遊技表示装置により再遊技の見かけの抽選の表示と、かかる見かけの抽選の表示の後、前記抽選手段による再遊技の抽選結果の表示とを行うための再遊技表示装置制御手段」としたものである。
　そうすると、本願発明の発明特定事項を全て含み、さらに他の発明特定事項を付加したものに相当する本願補正発明が、前記「２．（３）」に記載したとおり、先願発明と同一であるから、本願発明も、同様の理由により、先願発明と同一であり、しかも本願発明の発明者は先願発明の発明者と同一でも、本願出願の時において、その出願人が上記先願の出願人と同一でもない。
　　　　　　　　　　　　　　　　　　　　　　　　　　　　　　　　　
（３）むすび                               　　　　　　　　　　　 
　以上のとおりであるから、本願発明は、特許法第２９条の２第１項の規定により特許を受けることができない。
　よって、本願の他の請求項について論じるまでもなく、結論のとおり審決する。